(57)【要約】      （修正有）【課題】紅白の区画テープを巻回しているリール装置から区画テープを引き出し、枠体に取り付けている手持ち具を手で掴んで、枠体自体を回転させることにより、リール装置から引き出している区画テープに簡単に捻りを加えることのできる、紅白の区画テープ用のリール装置を提供する。【解決手段】紅白の区画テープＴを巻回しているリール部分Ｒと、このリール部分を回転可能に支持している枠体Ｆにより構成される紅白の区画テープ用のリール装置において、枠体は、一端部に区画テープを枠体の外側に引き出す区画テープの引き出し部３を有すると共に、他端部に枠体自体を回転させる回転機構部を有している紅白の区画テープ用のリール装置。また、回転機構部は、枠体における区画テープの引き出し部と反対側の位置にボールベアリング７を設置し、このボールベアリング７を介して、手持ち具８を回転可能に取り付けている。【選択図】図３
2009235622.tif 000002
【特許請求の範囲】
【請求項１】
紅白の区画テープを巻回しているリール部分と、このリール部分を回転可能に支持している枠体により構成される紅白の区画テープ用のリール装置において、枠体は、一端部に区画テープを枠体の外側に引き出す区画テープの引き出し部を有すると共に、他端部に枠体自体を回転させる回転機構部を有することを特徴とする紅白の区画テープ用のリール装置。
【請求項２】
回転機構部は、枠体における区画テープの引き出し部と反対側の位置にボールベアリングを設置し、このボールベアリングを介して、手持ち具を回転可能に取り付けている請求項１に記載の紅白の区画テープ用のリール装置。
【発明の詳細な説明】
【技術分野】
【０００１】
本発明は、紅白の区画テープを巻回しているリール部分と、このリール部分を回転可能に支持している枠体により構成される紅白の区画テープ用のリール装置において、枠体に取り付けている手持ち具を手で掴んで、枠体自体を回転させることにより、リール装置から引き出している区画テープに捻りを加えることのできる、紅白の区画テープ用のリール装置に関するものである。
【背景技術】
【０００２】
紅白の区画テープは、特定の場所を区画し、その区画した内側で所定の作業等行う際に使用されるものである。
【０００３】
この区画テープＴは、例えば、図４に示すように、紅白の区画テープＴを巻回しているリール部分Ｒと、このリール部分Ｒを回転可能に支持している枠体Ｆにより構成されるリール装置１００に巻き取られている。
【０００４】
そして、区画テープＴを使用するときは、リール装置１００の引き出し部１０１から所定の長さの区画テープＴを引き出して、特定の場所に配置している。
【０００５】
このとき、区画テープＴを使用した区画状態を目立たせるために、引き出した区画テープＴに捻りを加えることがある。
【特許文献１】特になし
【発明の開示】
【発明が解決しようとする課題】
【０００６】
しかしながら、従来のリール装置１００においては、引き出した区画テープＴに捻りを加える工夫がなされていなかった。
【０００７】
そのため、引き出した区画テープＴに捻りを加える際には、図４に示すように、リール装置１００の両端部を両手で持ち、リール装置を４分の一回転させて、例えば、右手が上に来たとき、リール装置の下方を掴んでいる左手を離してリール装置の上方を左手で掴み、同時にリール装置の上方を掴んでいる右手を離してリール装置の下方を右手で掴み、半回転させるという動作を繰り返し行う必要があり、その作業が非常に面倒であった。
【０００８】
また、長く引き出している区画テープＴにたくさんの捻りを加える場合には、その分、多くの作業時間を費やしているのが実情である。
【０００９】
そこで、本発明は、如上のような従来存した諸事情に鑑み創案されたもので、紅白の区画テープを巻回しているリール装置から区画テープを引き出し、枠体に取り付けている手持ち具を手で掴んで、枠体自体を回転させることにより、リール装置から引き出している区画テープに簡単に捻りを加えることのできる、紅白の区画テープ用のリール装置を提供することを目的とする。
【課題を解決するための手段】
【００１０】
本発明は、紅白の区画テープを巻回しているリール部分と、このリール部分を回転可能に支持している枠体により構成される紅白の区画テープ用のリール装置において、枠体は、一端部に区画テープを枠体の外側に引き出す区画テープの引き出し部を有すると共に、他端部に枠体自体を回転させる回転機構部を有することで、上述した課題を解決した。
【００１１】
また、回転機構部は、枠体における区画テープの引き出し部と反対側の位置にボールベアリングを設置し、このボールベアリングを介して、手持ち具を回転可能に取り付けていることで、同じく上述した課題を解決した。
【発明の効果】
【００１２】
本発明は、紅白の区画テープを巻回しているリール部分と、このリール部分を回転可能に支持している枠体により構成される紅白の区画テープ用のリール装置において、枠体は、一端部に区画テープを枠体の外側に引き出す区画テープの引き出し部を有すると共に、他端部に枠体自体を回転させる回転機構部を有することから、この回転機構部を介して、リール装置から引き出している区画テープに簡単に捻りを加えることができる。
【００１３】
具体的には、回転機構部は、枠体における区画テープの引き出し部と反対側の位置にボールベアリングを設置し、このボールベアリングを介して、手持ち具を回転可能に取り付けていることから、例えば、手持ち具を右手で掴んで、リール装置を吊り下げた状態とし、枠体の端部を左手で弾くようにする。
【００１４】
その結果、手持ち具の下部において枠体が滑らかに回転するため、この枠体から引き出している区画テープに対し、誰もが簡単に捻りを加えることができるのである。
【００１５】
また、枠体から区画テープを長く引き出している場合においても、極めて短時間で、その区画テープに多くの捻りを加えることができる。
【発明を実施するための最良の形態】
【００１６】
以下に、本発明を実施するための最良の形態を、図面を参照して説明する。
【００１７】
本発明は、図１に示すように、紅白の区画テープＴを巻回しているリール部分Ｒと、このリール部分Ｒを回転可能に支持している枠体Ｆにより構成される紅白の区画テープＴ用のリール装置１に関するものである。
【００１８】
枠体Ｆは、図１に示すように、十字状の板片ｆ１，ｆ２を接合して形成している。具体的には、板片ｆ１，ｆ２の左右に伸びる板部分の両端部を、四角形状の
接続片ｆ３，ｆ３により接合して固定している。また、板片ｆ１，ｆ２の上方に伸びる板部分の両端部を、四角形状の接続片ｆ４により接合して固定している。
【００１９】
さらに、図１に示す枠体Ｆにおいて、上方に伸びる板部分の先端部と、右に伸びる板部分の先端部間に、湾曲した輪郭板片ｆ５を固定している。この輪郭板片ｆ５には、所定の取っ手２を固定している。
【００２０】
また、図１に示す枠体Ｆにおいて、下方に伸びる板部分の先端部には、区画テープＴを枠体Ｆの外側に引き出す区画テープＴの引き出し部３を設けている。この引き出し部３は、枠体Ｆにおいて２個のローラー４，４を回転可能に支持し、区画テープＴを両ローラー４，４により挟み込むようにしている。
【００２１】
さらに、枠体Ｆの内側において紅白の区画テープＴを巻回しているリール部分Ｒは、引き出し部３を介して枠体Ｆの外側に引き出した区画テープＴを巻き戻すための、ハンドル５を備えている。
【００２２】
この他、図１に示す枠体Ｆにおいて、上方に伸びる板部分の先端部には、枠体Ｆ自体を回転させるための回転機構部６を設けている。
【００２３】
回転機構部６は、図２に示すように、枠体Ｆにおいて、上方に伸びる板部分の先端部において、接続片ｆ４に当接するようにしてボールベアリング７を固定している。また、ボールベアリング７の上に位置する接続片ｆ４には、孔１４が設けられている。
【００２４】
この枠体Ｆに固定しているボールベアリング７には、所定の手持ち具８が回転可能に取り付けられている。手持ち具８は、図２に示すように、下方に延設したボルト部９を有する台座部１０と、この台座部１０の上面に固定したリング部１１により形成されている。
【００２５】
そして、手持ち具８のボルト部９を接続片ｆ４の孔１４に挿入し、枠体Ｆのボールベアリング７によりボルト部９を保持した状態とする。また、ボルト部９の先端部をボールベアリング７から突出させる。このボルト部９の突出部分には、ワッシャ１２を介在させてナット部材１３を螺合させる。このようにして、枠体Ｆに、手持ち具８を回転可能に取り付けている。
【００２６】
本発明に係るリール装置１を使用するときには、リール装置１の引き出し部３から区画テープＴを引き出し、区画テープＴの先端部を所定の位置に固定している状態において、図３（ａ）に示すように、例えば、手持ち具８のリング部１１に右手の人差し指を掛け、リール装置１の全体を吊り下げた状態とし、枠体Ｆにおける左方に伸びる板部分の端部を、左手の人差し指で手前側に弾くようにする。
【００２７】
その結果、図３（ｂ）に示すように、手持ち具８の下部において枠体Ｆが滑らかに回転するため、この枠体Ｆから引き出している区画テープＴに対し、捻りを加えることができるのである。
【産業上の利用可能性】
【００２８】
本発明は、リール装置から引き出している所定のテープに対し、簡単に捻りを加えることのできるリール装置として、種々の作業現場において広く利用されるものである。
【図面の簡単な説明】
【００２９】
【図１】枠体の上方に伸びる板部分の先端部に、回転機構部を設けているリール装置の全体構成を示す斜視図である。
【図２】回転機構部の具体的な構成を示す断面図である。
【図３】リール装置の使用状態を示すもので、（ａ）はリール装置の引き出し部から区画テープを引き出している状態において、手持ち具のリング部に右手の人差し指を掛け、リール装置の全体を吊り下げている状態の斜視図、（ｂ）は枠体における左方に伸びる板部分の端部を左手の人差し指で手前側に弾いて、手持ち具の下部において枠体を回転させ、枠体から引き出している区画テープに捻りを加えている状態の斜視図である。
【図４】従来のリール装置を使用して、枠体から引き出している区画テープに捻りを加えている状態の斜視図である。
【符号の説明】
【００３０】
Ｔ…区画テープ
Ｒ…リール部分
Ｆ…枠体
ｆ１…板片
ｆ２…板片
ｆ４…接続片
ｆ５…輪郭板片
１…リール装置
２…取っ手
３…引き出し部
４…ローラー
５…ハンドル
６…回転機構部
７…ボールベアリング
８…手持ち具
９…ボルト部
１０…台座部
１１…リング部
１２…ワッシャ
１３…ナット部材
１４…孔
１００…リール装置
１０１…引き出し部
【図１】
2009235622.tif 000003
【図２】
2009235622.tif 000004
【図３】
2009235622.tif 000005
【図４】
2009235622.tif 000006